(57)【要約】【課題】シリンダ錠の引き抜き力に対する抵抗力を高め、かつ、機種間での部品配置の自由度を高めた錠装置の提供を目的とする。【解決手段】錠ケース１内に収納され、錠ケース１の前端面から進退可能なデッドボルト２と、  錠ケース１の側壁面から挿入され、デッドボルト２を施解錠駆動するシリンダ錠３の取付突部４を貫通して該シリンダ錠３を錠ケース１に固定する装着ピン５とを有し、  前記錠ケース１のシリンダ錠３固定側壁面には、装着ピン５の貫通孔６を開設したピン保持部７により前記取付突部４の前後を挟み、対向壁面との間に部材可動スペースが設定されたピン保持部材８が固定される。【選択図】  図５
2008127780.tif 000002
【特許請求の範囲】
【請求項１】
錠ケース内に収納され、錠ケースの前端面から進退可能なデッドボルトと、
錠ケースの側壁面から挿入され、デッドボルトを施解錠駆動するシリンダ錠の取付突部を貫通して該シリンダ錠を錠ケースに固定する装着ピンとを有し、
前記錠ケースのシリンダ錠固定側壁面には、装着ピンの貫通孔を開設したピン保持部により前記取付突部の前後を挟み、対向壁面との間に部材可動スペースが設定されたピン保持部材が固定される錠装置。
【請求項２】
前記シリンダ錠の挿入に伴ってシリンダ錠の連結子に連結され、シリンダ錠への回転操作力が伝達される回転カムと、
錠ケースの側壁面に固定され、前記回転カムを回転自在に支承するカム受け部材とを有し、
前記カム受け部材にはピン保持部が一体形成されてピン保持部材を兼ねる請求項１記載の錠装置。
【発明の詳細な説明】
【技術分野】
【０００１】
本発明は錠装置に関するものである。
【背景技術】
【０００２】
装着ピンを使用して錠ケースにシリンダ錠を固定する錠装置としては、特許文献１に記載のものが知られている。この従来例において、錠ケースの両側壁面にはシリンダ錠の嵌合孔が対向位置に開設される。嵌合孔から挿入されたシリンダ錠の挿入端には、水平貫通孔（ピン装着孔）が開設されており、該ピン装着孔に装着ピンを貫通させることにより錠ケースからの脱落が規制される。
【０００３】
また、錠ケース内には、シリンダ錠の挿入端を囲むように防御ブロックが固定され、ピン装着孔を貫通する装着ピンを防御ブロックに貫通させることによりシリンダ錠の引き抜き強度が高められる。
【特許文献１】特開２００４-３５３２７５号公報
【発明の開示】
【発明が解決しようとする課題】
【０００４】
しかし、上述した従来例において、防御ブロックは錠ケースの対向壁面間のスペースを完全に埋める状態でシリンダ錠の挿入端を囲むために、シリンダ錠の操作部とデッドボルトとを連結する連結部材の可動域を別途防御ブロック上に設定する必要がある。
【０００５】
上述した従来例においては、上記可動域は、防御ブロックに中央切欠部を設けることにより確保されるが、かかる可動域は錠装置の種類により変化するために、防御ブロックを他機種に使用する場合には、可動部品の可動域を防御ブロックとの干渉を避けた位置に設定する必要があり、部品配置の自由度が低下する上に、可動域が防御ブロック周囲ほぼ全域に亘る場合には、防御ブロックを配置することができないという欠点がある。
【０００６】
本発明は、以上の欠点を解消すべくなされたものであって、シリンダ錠の引き抜き力に対する抵抗力を高め、かつ、機種間での部品配置の自由度を高めた錠装置の提供を目的とする。
【課題を解決するための手段】
【０００７】
錠装置は、錠ケース１内に収容したデッドボルト２を錠ケース１外部から挿入されるシリンダ錠３により駆動することができるように構成される。シリンダ錠３の錠ケース１への固定は、錠ケース１内に挿入されたシリンダ錠３の取付突部４に装着ピン５を貫通させて行われる。
【０００８】
ピン保持部材８は、上記取付突部４の前後（本明細書において、デッドボルト２が飛び出す方向を「前方」とし、「上下」「側方」は扉体に固定した姿勢を基準に決定する。）を挟むようにして配置されるピン保持部７を備え、錠ケース１の側壁面に固定される。上記装着ピン５は、双方のピン保持部７の貫通孔６、および取付突部４に開設されたピン装着孔１１を貫通するために、シリンダ錠３にこじり力等に対する保持強度が向上する。
【０００９】
また、ピン保持部材８は、錠ケース１の側壁面に固定した状態で対向壁面との間に部材可動スペースを確保することができるように、十分に低背に形成されるために、どのような錠装置であっても、部材可動スペースを確保することができ、部品配置の自由度を低下させることがない。
【００１０】
ピン保持部材８は、新たに設定することも可能であるが、シリンダ錠３により回転駆動される回転カム１０を支持するカム受け部材にピン保持部７を一体形成することも可能である。シリンダ錠３は回転中心近傍に配置される連結子９の周囲に取付突部４が配置される構造をとるために、連結子９の連結対象である回転カム１０を支承するカム受け部材は、通常、取付部材４近傍に位置する。
【００１１】
さらに、カム受け部材は軸受として特性から、回転カム１０の中間部に可動空間が確保されるように先端部のみを支承するために、必然的に上述した部材可動スペースの確保要件を充足する。
【００１２】
したがって、カム受け部材をピン保持部材８として兼用する構成は、どのような構造の錠装置にも無条件で適用可能で、部品点数を増加させることなくシリンダ錠の保持力を高めることを可能にする。
【発明の効果】
【００１３】
本発明によれば、シリンダ錠の引き抜き力に対する抵抗力を高め、かつ、機種間での部品配置の自由度を高めることができる。
【発明を実施するための最良の形態】
【００１４】
図１に示すように、錠装置は、錠ケース１内に収容されるデッドボルト２を備える。図２に示すように、錠ケース１は、一対のケース半体１２ａ、１２ａを連結して中空ボックス形状に形成されるケース本体１２と、ケース本体１２の前端面に固定され、図外の扉体内に挿入して固定するときの扉体への固定用フランジを提供する取付プレート１３とを有する。扉体に固定された後、錠装置には固定ビス等を覆い隠すために化粧プレート１４がねじ止めされる。
【００１５】
デッドボルト２は、板材を断面Ｕ字形状に屈曲させて前後に長く形成され、図１（ａ）に示すように、前端が取付プレート、および化粧プレートを貫通して錠ケース１外に飛び出す施錠位置と、図１（ｂ）に示すように、錠ケース１内に没入した解錠位置との間で進退移動する。
【００１６】
上記デッドボルト２を駆動するために、錠ケース１内には動力ユニット１５が固定される。図１（ｂ）に示すように、動力ユニット１５は、モータ１５ａの動力を回転出力軸の回転動力に変換する歯車列、およびモータの制御等に必要な通電部品をユニットケース１５ｂ内に収容して形成される。
【００１７】
動力ユニット１５の回転出力軸１５ｃに出力される回転動力は、回転出力軸１５ｃに連結される平歯車からなる出力ギア１６、この出力ギア１６に噛合するラック伝達部材１７を介して回転カム１０に伝達される。回転カム１０が回転駆動されると、回転カム１０のデッド操作リンク部１０ａがデッドボルト２の後端に突設される操作突出部２ａを押圧し、デッドボルト２を進退駆動する。
【００１８】
また、上記動力ユニット１５の回転出力軸１５ｃと歯車列の最後段ギア１５ｄとの間には回転方向に遊びが設定され、モータ１５ａは、例えば施錠方向に駆動された場合には、回転出力軸１５ｃを施錠方向に回転させた後、遊び角の範囲で反転駆動される。この結果、回転出力軸１５ｃは歯車列の規制を受けることなく解錠方向への回転が可能なり、後述するシリンダ錠３等による解錠操作を可能にする。
【００１９】
上記回転カム１０を支承するために、双方のケース半体１２ａには対向位置にピン保持部材８として機能するカム受け部材が固定される。カム受け部材８は、図３に示すように、ケース半体１２ａへの固定片８ａから適宜高さ位置に回転カム１０の受け面８ｂを有して形成される。
【００２０】
図３（ｄ）に示すように、回転カム１０は、支承フランジ１０ｂの表裏面が各カム受け部材８の受け面８ｂに挟まれた状態で支持され、回転カム１０の中心から突出した軸部１０ｃが受け面８ｂに開設されたカム挿通孔８ｃに挿入される。また、回転カム１０の軸部１０ｃには、ストッパ突起１０ｄが突設され、カム挿通孔８ｃの内周壁に突設される回転規制部８ｄに衝接して回転ストロークが規制される。
【００２１】
上記受け面８ｂは、カム受け部材８の取付面からの最高突出位置に配置されており、カム受け部材８間には、部材可動スペースが確保される。受け面８ｂが最高突出位置に設定されるこの実施の形態において、最高突出部、すなわち、受け面８ｂ、８ｂ間には必然的に部材可動スペース（Ｓ）が形成されるが（図３（ｄ）参照）、受け面８ｂ以外に最高突出部が設定される場合には、最高突出部と対向部材との間に部材可動スペース（Ｓ）が確保されるように、高さ寸法が設定される。また、この実施の形態のように、対向位置に同一形状のカム受け部材８を使用する場合には、最高突出部の高さは、錠ケース１の厚み寸法（側壁間距離）の半分より小寸に形成される。
【００２２】
上記デッドボルト２を動力ユニット１５以外の手段で施解錠駆動するために、錠装置には、シリンダ錠３と、サムターン装置１８を連結することができる。図２に示すように、これらシリンダ錠３とサムターン装置１８とを連結するために、錠ケース１の側壁には、上記回転カム１０に臨む挿入開口１ａが開設される。挿入開口１ａは、シリンダ錠３等の終端部に対向配置される翼片状の取付突部４が嵌合し、シリンダ錠３等を回り止めして受容する形状に形成される。
【００２３】
一方、シリンダ錠３等の終端部には、図４に示すように、プラグ、あるいはサムターンを操作することにより回転する連結子９が突設されており、挿入開口１ａに取付突部４を挿入すると、連結子９が回転カム１０の連結孔１０ｅに嵌合する。
【００２４】
この状態でシリンダ錠３等を現在の状態を反転させる方向に操作すると、動力ユニット１５の規制を受けることなく回転カム１０を回転させ、デッドボルト２を反転位置に移動させることができる。
【００２５】
これらシリンダ錠３等の固定は、錠装置を扉体に固定した後での作業を可能にするために、図２（ｂ）に示すように、錠ケース１前端面から挿入される装着ピン５を使用して行われる。装着ピン５を挿通させるために、シリンダ錠３とサムターン装置１８の各取付突部４には、錠ケース１への挿入状態において前後に貫通するピン装着孔１１が開設される。
【００２６】
また、図３、４に示すように、カム受け部材８には各取付突部４を前後から挟むようにしてピン保持部７が突設され、装着ピン５は、上記取付突部４のピン装着孔１１と、ピン保持部７に開設された貫通孔６を貫通し、シリンダ錠３等を強固に固定する。
【図面の簡単な説明】
【００２７】
【図１】本発明を示す図で、（ａ）は施錠状態を示す図、（ｂ）はシリンダ錠を連結した状態の解錠状態を示す図である。
【図２】錠装置の組立工程を示す分解斜視図で、（ａ）はケース本体の分解斜視図、（ｂ）は錠装置の分解斜視図である。
【図３】ピン保持部材を示す図で、（ａ）は正面図、（ｂ）は（ａ）の３Ｂ-３Ｂ線断面図、（ｃ）は回転カムを支持した状態を示す正面図、（ｄ）は対向する２個のピン保持部材により回転カムを支承した状態を示す断面図である。
【図４】シリンダ錠を装着した状態を示す断面図である。
【図５】装着ピンの装着状態を示す図で、（ａ）は図１（ｂ）の５Ａ-５Ａ線断面図、（ｂ）はピン保持部材近傍の装着ピンの貫通状態を示す説明図である。
【符号の説明】
【００２８】
１        錠ケース
２        デッドボルト
３        シリンダ錠
４        取付突部
５        装着ピン
６        貫通孔
７        ピン保持部
８        ピン保持部材
９        連結子
１０      回転カム
１１      ピン装着孔
【図１】
2008127780.tif 000003
【図２】
2008127780.tif 000004
【図３】
2008127780.tif 000005
【図４】
2008127780.tif 000006
【図５】
2008127780.tif 000007